(57)【特許請求の範囲】
【請求項１】
通常モードの場合にバーコードを読取可能かつ読取ったバーコードデータを無線送信可能な複数の子局（１０）と，各子局（１０）から無線送信されて来たバーコードデータを無線受信可能かつ無線受信したバーコードデータを直接または間接的に記憶可能な親局（３０）とを具備してなるバーコード読取装置の前記各子局（１０）に、
前記親局（３０）との無線通信中に検出した信号レベルが無線通信可能レベル未満であるか否かを判別するために使用する第１の設定信号レベルを記憶する第１の記憶手段（１３Ｍ１）と，
前記親局（３０）との無線通信中に検出した信号レベルが不安定領域中にあるか否かを判別するために使用する第２の設定信号レベルを記憶する第２の記憶手段（１３Ｍ２）と，
前記親局（３０）から無線受信した信号の検出レベルが第１の設定信号レベル未満であるか否かを判別する第１の判別手段（１１，１２）と，
この第１の判別手段（１１，１２）によって第１の設定信号レベル未満であると判別された場合にその旨を表示する第１の表示手段（１７）と，
前記親局（３０）から無線受信した信号の検出レベルが第１の設定信号レベル以上でかつ第２の設定信号レベル未満であるか否かを判別する第２の判別手段（１１，１２）と，
この第２の判別手段によって第１の設定信号レベル以上でかつ第２の設定信号レベル未満であると判別された場合にその旨を表示する第２の表示手段（１７）と，
前記親局（３０）から無線受信した信号の検出レベルが第２の設定信号レベル以上であるか否かを判別する第３の判別手段（１１，１２）と，
この第３の判別手段によって第２の設定信号レベル以上であると判別された場合にその旨を表示する第３の表示手段（１７）とを
設けた、ことを特徴とするバーコード読取装置。
【請求項２】
前記第１の表示手段（１７）が警報ランプを点灯表示するものとされかつ前記第２の表示手段（１７）が該警報ランプを点滅表示するものとされるとともに前記第３の表示手段（１７）が該警報ランプを消灯表示するものと形成されている請求項１記載のバーコード読取装置。
【発明の詳細な説明】
【０００１】
【発明の属する技術分野】
本発明は、通常モードの場合にバーコードを読取可能かつ読取ったバーコードデータを無線送信可能な複数の子局と，各子局から無線送信されて来たバーコードデータを無線受信可能かつ無線受信したバーコードデータを直接または間接的に記憶可能な親局とを具備してなるバーコード読取装置に関する。
【０００２】
【従来の技術】
図４において、バーコード読取装置は、親局３０と，親局３０に無線接続可能な複数の子局１０とからなる。ハンディタイプの各子局１０は、通常モードの場合に、例えば搬送物に印刷等されたバーコードを読取可能でかつ読取ったバーコードデータを親局３０へ無線送信可能である。親局３０は、各子局１０から無線送信されて来たバーコードデータを無線受信可能でかつ無線受信したバーコードデータを自局３０内に直接または例えば転送先たるホスト（例えば、パソコン）に間接的に記憶可能に形成されている。
【０００３】
詳しくは、各子局１０は、バーコードを読取ると、親局３０へ読取ったバーコードデータの無線送信を希望する旨の問合せを行い、これに対して親局３０から了解の応答を無線受信した後にバーコードデータを無線送信する。また、親局３０は、バーコードデータの無線受信が終了すると、その旨を当該子局１０へ応答する。この応答を無線受信した子局１０は、当該バーコードデータを消去する。
【０００４】
ここに、１つの親局３０で多数の子局１０に対応することは至難であるから、複数の親局３０Ａ〜３０Ｄを配設するのが一般的である。図４に示す各親局３０Ａ〜３０Ｄの配設位置は、当該各無線送受信有効エリアＡａ〜Ａｄが例えば配送センター内のどの場所もカバーできかつ重複範囲が最小となるようにして決定される。具体的には、電波環境診断機能を有する専用機を利用して行う。なお、各親局３０Ａ〜３０Ｄの無線送受信用周波数（ｆａ〜ｆｄ）は、それぞれに異なるものとして設定される。かくして、各子局１０Ａ〜１０Ｄは、各無線送受信有効エリアＡａ〜Ａｄを形成する当該各親局３０Ａ〜３０Ｄに当該周波数（ｆａ〜ｆｄ）で無線接続し、バーコードデータを無線送信することができる。
【０００５】
ところで、例えば子局１０ＡＢ（１０ＡＢＣ）は、複数のエリアＡａ，Ａｂ（Ａａ，Ａｂ，Ａｃ）内に所在するので、当該係員（オペレータ）の判断により親局３０Ａおよび３０Ｂ（３０Ａ，３０Ｂおよび３０Ｃ）のいずれにも恣意的に選択切替可能である。しかし、現実的には、常に選択切替可能でかつ選択した親局３０との間で常に安定かつ円滑な無線通信ができるという保障はない。配送センター内の建家内構造や他の電子機器から発生される電波による障害等々の事由により、図４に平面的に表現した各エリアＡａ〜Ａｄが常に維持されているとは限らないからである。したがって、図４に示す例えば子局１０Ｄと親局３０Ｄとの間の信号レベルが低下して無線通信後不安定乃至不能になることもあり得る。
【０００６】
かかる事情から、各子局１０（例えば、１０ＡＢ）には、図３（Ｂ１）に示すように、無線接続された親局（例えば、３０Ａ）との間の無線送受信の際に検出した信号レベルＬが予め設定された安定レベルＬ２未満となった場合に警報ランプを点灯させ、切替モードとして安定した無線送受信が可能である新たな親局（例えば、３０Ｂ）を選択してそれに無線接続を切替えるべきとの注意喚起を行う機能が設けられている。安定レベルＬ２以上の場合は、警報ランプを消灯させるように形成されている。
【０００７】
さらに、この警報ランプの点灯・消灯との関係および運用の実際に照し、無線接続されていた親局（３０Ａ）との間の検出信号レベルＬが安定レベルＬ２未満となった場合には、図３（Ｂ２）の右側に示すように、その信号レベルＬがさらに劣悪化（低下）するものと推定し、当該親局（３０Ａ）との無線接続を自動的に切断するものと形成されている。バーコードデータの不安定な無線送受信を回避させることができる。
【０００８】
一方において、切替モードにおける古い親局（３０Ａ）から新たな親局（３０Ｂ）への選択切替に関しては、図３（Ｂ２）の左側に示すように、検出信号レベルＬが安定レベルＬ２未満でも予め設定された無線通信可能なレベルＬ１以上であれば、選択した当該親局（３０Ｂ）との無線接続を許可するように形成されている。係員が、新たに選択切替した親局（３０Ｂ）側へ近づくように移動することにより、その信号レベルＬが上昇しかつ安定レベルＬ２以上となることを期待するからである。つまり、選択切替した新たな親局（３０Ｂ）への無線接続を優先させる考え方が採用されているわけである。
【０００９】
【発明が解決しようとする課題】
しかしながら、各子局１０およびこれを取扱う各係員に関し、次のような問題点が指摘されている。すなわち、図３（Ｂ１），（Ｂ２）に示すように、警報ランプが消灯状態の通常モード運転中つまりバーコードデータを無線送信しているのに、信号レベルＬが安定レベルＬ２未満になってしまうと、不安定領域内か無線通信不能領域かに関係なく突然に警報ランプが点灯しかつ親局３０との無線接続が自動的に切断されてしまうことがある。したがって、バーコードデータを無線送受信する正確性および円滑性の万全が保障されない。また、取扱いが難しいばかりか再度のバーコード読取りおよび無線送信作業をしなければならない。これでは、作業煩雑かつ作業能率が大幅に低下しかつ信頼性も低下する。しかも、通常モード運転中の検出信号レベルが不安定領域内にあるのか否かを知る手策がないので、これら不利不便を回避できない。
【００１０】
特に、切替モードとして新たな親局３０へ切替える際、信号レベルＬが無線通信可能レベルＬ１以上となれば、警報ランプが点灯しているにも拘わらず無線接続が許可される。このこと自体は、上記趣旨から問題はない。しかし、通常モードに切替えた無線接続後に信号レベルＬが安定レベルＬ２以上に改善されなければ再び切断されてしまう事態が生ずる。これでは、折角無線接続した新たな親局（３０Ｂ）への選択切替作業が徒労になってしまう。換言すれば、無線接続後の信号レベルＬが未だ不安定領域内にある場合において係員がその場所を少しだけ移動するだけで安定レベルＬ２以上の領域に入れる状態にあったとしても、警報ランプが点灯と消灯との２段階切替えではそれを判断できない。つまり、安定領域内に改善できたと信じていても通常モードに切替えた直後に再切断されるので、混乱を招く。したがって、これまで以外の新たな親局３０への選択切替作業をしなければならない。
【００１１】
しかも、特に半２重通信方式の場合は、子局１０側の問合せ送信（応答受信）と親局３０側の応答受信（問合せ応答送信）とを交互に行わなければならず、長時間を必要とするので、切替作業能率が悪い。さらに、新たな親局３０への無線接続ができたとしても、その後にレベルＬ１からレベルＬ２に改善しようとするために必要な目安がないので、専ら係員の勘と手探りに依存しなければならない。したがって、一層の人手と時間を必要とするので、切替作業能率がより大幅に低下してしまう。
【００１２】
本発明は、上記事情に鑑みなされたもので、その目的は子局において子局と親局との間の無線通信に係る検出信号レベルが不安定領域にあることをも容易に知ることができる取扱い簡単なバーコード読取装置を提供することにある。
【００１３】
【課題を解決するための手段】
請求項１の発明は、通常モードの場合にバーコードを読取可能かつ読取ったバーコードデータを無線送信可能な複数の子局（１０）と，各子局（１０）から無線送信されて来たバーコードデータを無線受信可能かつ無線受信したバーコードデータを直接または間接的に記憶可能な親局（３０）とを具備してなるバーコード読取装置の前記各子局（１０）に、前記親局（３０）との無線通信中に検出した信号レベルが無線通信可能レベル未満であるか否かを判別するために使用する第１の設定信号レベルを記憶する第１の記憶手段（１３Ｍ１）と，前記親局（３０）との無線通信中に検出した信号レベルが不安定領域中にあるか否かを判別するために使用する第２の設定信号レベルを記憶する第２の記憶手段（１３Ｍ２）と，前記親局（３０）から無線受信した信号の検出レベルが第１の設定信号レベル未満であるか否かを判別する第１の判別手段（１１，１２）と，この第１の判別手段（１１，１２）によって第１の設定信号レベル未満であると判別された場合にその旨を表示する第１の表示手段（１７）と，前記親局（３０）から無線受信した信号の検出レベルが第１の設定信号レベル以上でかつ第２の設定信号レベル未満であるか否かを判別する第２の判別手段（１１，１２）と，この第２の判別手段によって第１の設定信号レベル以上でかつ第２の設定信号レベル未満であると判別された場合にその旨を表示する第２の表示手段（１７）と，前記親局（３０）から無線受信した信号の検出レベルが第２の設定信号レベル以上であるか否かを判別する第３の判別手段（１１，１２）と，この第３の判別手段によって第２の設定信号レベル以上であると判別された場合にその旨を表示する第３の表示手段（１７）とを設けた、ことを特徴とする。
【００１４】
かかる発明では、切替モード運転中および通常モード運転中に、第１，第２および第３の判別手段は、常時的に判別動作する。第１の判別手段が、検出信号レベルが第１の記憶手段に記憶されている第１の設定信号レベル未満であると判別すると、第１の表示手段にその旨が表示される。例えば、警報ランプの点灯表示である。また、第２の判別手段が、検出信号レベルが第１の設定信号レベル以上でかつ第２の記憶手段に記憶されている第２の設定信号レベル未満であると判別すると、第２の表示手段にその旨が表示される。例えば、警報ランプの消滅表示である。すなわち、親局との間の無線通信状態が不安定領域内にあることを表示することができる。さらに、第３の判別手段が、検出信号レベルが第２の設定信号レベル以上であると判別すると、第３の表示手段にその旨が表示される。例えば、警報ランプの消灯表示である。
【００１５】
かくして、無線接続およびその切断がどのような同一または異なる設定信号レベルを採用して実行されるものと形成されていても、親局との間の無線通信状態が安定領域および無線通信不能領域のみならずその中間の不安定領域にあることを正確に知ることができるので、取扱いが簡単でバーコードデータの無線送受信の正確性および切替作業の容易化を大幅に向上できる。
【００１６】
また、請求項２の発明は、前記第１の表示手段（１７）が警報ランプを点灯表示するものとされかつ前記第２の表示手段（１７）が該警報ランプを点滅表示するものとされるとともに前記第３の表示手段（１７）が該警報ランプを消灯表示するものと形成されているバーコード読取装置である。
【００１７】
かかる発明では、各表示手段が同一の警報ランプを利用して構築されているので、請求項１の発明の場合と同様な作用効果を奏することができることはもとより、さらに目視容易化を含む取扱いが一段と簡単である。装置の小型化も可能である。
【００１８】
【発明の実施の形態】
以下、本発明の実施形態を図面を参照して説明する。
本バーコード読取装置は、図１に示す如く、第１の記憶手段１３Ｍ１と，第２の記憶手段１３Ｍ２と，第１の判別手段（１１，１２）および第１の表示手段（１７）と，第２の判別手段（１１，１２）および第２の表示手段（１７）と，第３の判別手段（１１，１２）および第３の表示手段（１７）とを設け、子局１０において、親局３０との間の無線通信に係る検出信号レベルＬが無線通信不可能を判別するための第１の設定信号レベルＬ１未満である場合および無線通信を安定して行える第２の設定信号レベルＬ２以上である場合のみならず第２の設定信号レベルＬ２と第１の設定信号レベルＬ１との間の無線通信不安定領域にある場合においてもその旨を表示告知可能に構成されている。
【００１９】
図１において、各子局１０は、ＣＰＵ１１，ＲＯＭ１２，ＲＡＭ１３，バーコードスキャナ１５（スキャナ回路１５Ｃ），キーボード１６（キーボード回路１６Ｃ），表示器１７（表示回路１７Ｃ），入出力ポート（Ｉ／Ｏ）１４を介して接続された警報ランプ１９および無線通信回路２０を含み、全体として係員が携帯可能なハンディタイプに形成されている。
【００２０】
無線通信回路２０は、図示しない主制御部，送信部，受信部，切替部およびアンテナ２６を具備し、親局３０との間で無線送受信する。受信部２３には、親局３０との無線通信に係る信号レベルを検出可能な信号レベル検出手段を形成する検出部が接続されている。
【００２１】
親局３０は、ＣＰＵ３１，ＲＯＭ３２，ＲＡＭ３３，キーボード３６（キーボード回路３６Ｃ），表示器３７（表示回路３７Ｃ），ホスト（例えば、パソコン）５０との接続用のデータ通信用インターフェイス（Ｉ／Ｆ）３８，無線通信回路４０を含み、例えば配送センター内の適所に固定的に設置できる。無線通信回路４０の構成は、子局１０側の無線通信回路２０の構成の場合と同様である。
【００２２】
さて、子局１０の通常モードにおける基本的機能は、従来例の場合と同様に、キーボード１６上のキー操作により通常モードを選択し、バーコードスキャナ１５を用いて例えば搬送物に印刷されたバーコードを読取る。読取ったバーコードデータは、ＲＯＭ１２に格納されたプログラムに基きかつＣＰＵ１１によって、ＲＡＭ１３のワークエリアに一時記憶される。
【００２３】
そして、バーコードデータの無線送信要求指令を発すると、ＣＰＵ１１は、まず無線接続されている親局３０へ無線通信回路２０を介してこれからバーコードデータの無線送信を希望する旨の問合せを無線送信する。親局３０から了解の旨の応答を無線受信すると、バーコードデータを無線送信する。そして、親局３０から無線受信終了の応答を受信すると、当該バーコードデータを消去する。
【００２４】
また、親局３０の基本的機能は、従来例の場合と同様に、通常モードにおいて、子局１０から最初の問合せを無線受信すると、了解の旨の応答を当該子局１０へ無線送信し、しかる後に当該子局１０からのバーコードデータを無線受信する。バーコードデータは、ＲＡＭ３３に直接に一時記憶される。もとより、直ちにホスト５０へ転送しそこで間接的に記憶しておくように形成してもよい。バーコードデータの無線受信後に当該子局１０へ終了の旨の応答を無線送信する。
【００２５】
ここに、子局１０内の無線通信回路２０は、バーコードデータの親局３０への無線送信に先立つ最初の問合せに対する当該親局３０からの応答を無線受信（図２のＳＴ１０のＹＥＳ）する際にその信号レベルＬを検出（ＳＴ１１）する。検出された信号レベルＬは、ＲＯＭ１２に格納されたプログラムに基きかつＣＰＵ１１によってＲＡＭ１３のワークエリアに記憶（ＳＴ１１）される。なお、バーコードデータの無線受信終了後に親局３０から無線送信される応答の信号レベルＬを検出（ＳＴ１１）するように形成してもよい。
【００２６】
ここにおいて、子局１０には、ＲＡＭ１３内に形成された第１の記憶手段１３Ｍ１と第２の記憶手段１３Ｍ２とが設けられている。第１の記憶手段１３Ｍ１には、図３（Ａ１），（Ａ２）に示す第１の設定信号レベルＬ１が設定記憶される。その値は、キーボード１６上のキー操作により設定変更可能であるが、親局３０との無線通信中に検出した信号レベルＬが無線通信可能レベル（Ｌ１）未満であるか否かを判別するために最適なものとして設定記憶される。
【００２７】
また、第２の記憶手段１３Ｍ２には、検出信号レベルＬが親局３０との無線通信状態が不安定領域内にあるか否かを判別するために使用する第２の設定信号レベルＬ２を記憶する。この値も、キー操作により設定変更可能である。この実施形態の場合は、比較便宜のために、従来例〔図３（Ｂ１），（Ｂ２）〕の場合（Ｌ１，Ｌ２）と同じ値に設定した場合を示す。
【００２８】
なお、各記憶手段は、ＲＯＭ１２，ＥＰＲＯＭ等の不揮発性メモリから形成してもよい。
【００２９】
第１の判別手段は、親局３０から無線受信した信号の検出レベルＬが第１の設定信号レベルＬ１未満であるか否かを判別する手段で、第１の判別制御プログラムを格納したＲＯＭ１２とＣＰＵ１１とから形成され、図２のＳＴ１５で実行される。また、この第１の判別手段（１１，１２）によって検出信号レベルＬが第１の設定信号レベルＬ１未満であると判別された場合（ＳＴ１５のＮＯ）には、第１の表示手段（１９）がその旨を表示（ＳＴ１８）する。
【００３０】
この実施形態では、第１の表示手段，第２の表示手段および第３の表示手段を、同一の警報ランプ１９から形成し、表示態様を変えてある。第１の表示手段は警報ランプ１９を点灯表示し、第２の表示手段は点滅表示かつ第３の表示手段は消灯表示するものとされている。一層の目視容易化と装置小型化のためである。もとより、各表示手段は、別個に形成してもよく、さらには表示器１７を利用して構築してもよい。なお、各表示手段は、第１，第２および第３の表示制御手段（ＣＰＵ１１，ＲＯＭ１２）との協働によりそれぞれに表示動作するものとされている。
【００３１】
第２の判別手段は、第２の判別制御プログラムを格納させたＲＯＭ１２とＣＰＵ１１とから形成され、検出信号レベルＬが第１の設定信号レベルＬ１以上でかつ第２の設定信号レベルＬ２未満であるか否かを判別（ＳＴ１５）する。すなわち、親局３０との無線通信状態が不安定領域内にあるか否かを判別する。不安定領域内にあると判別（ＳＴ１５のＹＥＳ）されると、第２の表示手段（１９）がその旨を表示（点滅表示）する（ＳＴ１６）。
【００３２】
また、第３の判別手段は、検出信号レベルＬが第２の設定信号レベルＬ２以上であるか否かを判別する手段で、第３の判別制御プログラムを格納したＲＯＭ１２とＣＰＵ１１とから形成され、図２のＳＴ１２で実行される。第２の設定信号レベルＬ２以上であると判別（ＳＴ１２のＹＥＳ）されると、第３の表示手段（１９）がその旨を表示する（ＳＴ１４）。
【００３３】
さらに、この実施形態では、上記各判別手段（１１，１２）および各表示手段（１９）の発揮しうる有益機能に着目し、通常モード運転中では図３（Ａ２）の右側に示すように検出信号レベルＬが第１の設定信号レベルＬ１未満となった場合（ＳＴ１５のＮＯ）に、切断制御手段（ＣＰＵ１１，ＲＯＭ１２）が当該親局３０との無線接続を自動的に切断（ＳＴ１７）し、かつ切替モード運転中は検出信号レベルＬが第２の設定信号レベルＬ２以上となった場合（ＳＴ１２のＹＥＳ）つまり安定領域内にあることを確認してから、接続制御手段（ＣＰＵ１１，ＲＯＭ１２）が無線接続（ＳＴ１３）するものと形成してある。
【００３４】
次に、この第１の実施形態の作用・動作を主に通常モードの場合と切替モードの場合とを兼用表現した図２を参照して説明する。
【００３５】
キーボード１６上のキー操作により第１の記憶手段１３Ｍ１に第１の設定信号レベルＬ１を設定記憶しかつ第２の記憶手段１３Ｍ２に第２の設定信号レベルＬ２を設定記憶しておく。
【００３６】
通常モードにおいて、子局１０の無線通信回路２０が無線接続されている親局３０との無線通信中にその応答に係る信号レベルＬを検出（図２のＳＴ１０のＹＥＳ，ＳＴ１１）する。
【００３７】
第３の判別手段（１１，１２）が、検出信号レベルＬが第２の記憶手段１３Ｍ２に記憶されている第２の設定信号レベルＬ２以上であると判別（ＳＴ１２のＹＥＳ）すると、第３の表示手段（１９）は図３（Ａ１）に１点鎖線で示すように消灯表示（ＳＴ１４）する。この際、無線接続（ＳＴ１３）は、図３（Ａ２）の右側に実線で示すように保持（ＳＴ１３）されている。
【００３８】
検出信号レベルＬが第２の設定信号レベルＬ２未満でかつ第１の記憶手段１３Ｍ１に記憶されている第１の設定信号レベルＬ１以上の不安定領域内に低下してくると、第２の判別手段（１１，１２）がＬ２＞Ｌ≧Ｌ１であると判別（ＳＴ１５のＹＥＳ）するので、第２の表示手段（１９）は点滅表示（ＳＴ１６）する。したがって、係員は当該親局３０に近付くように移動して検出信号レベルＬを第２の設定信号レベルＬ２側に見直し改善する等の対処を迅速に行える。すなわち、バーコードデータの無線送信を続行できる。
【００３９】
しかし、諸事情により、検出信号レベルＬが第１の設定信号レベルＬ１未満になったとすると、第１の判別手段（１１，１２）がこれを判別（ＳＴ１５のＮＯ）する。この場合は、第１の表示手段（１９）が点灯表示（ＳＴ１８）する。この際、切断制御手段（１１，１２）は、図３（Ａ２）の右側に示すように当該親局３０との無線接続を強制して点線で示すように切断（ＳＴ１７）する。この場合は、バーコードデータの無線送信は行えない。
【００４０】
かくして、係員は、切替モードに切替える。この切替作業中、第２の判別手段（１１，１２）が検出信号レベルＬがＬ２＞Ｌ≧Ｌ１になったと判別（ＳＴ１５のＹＥＳ）すると、各表示手段を形成する警報ランプ１９は、“点灯”→“点滅”に表示が切替わる（ＳＴ１６）。したがって、係員は、当該親局３０へ少しだけ近付けば、検出信号レベルＬが第２の設定信号レベルＬ２以上となることを簡単に推測することができる。
【００４１】
かくして、第３の判別手段（１１，１２）によって検出信号レベルＬが、第２の設定信号レベルＬ２以上であると判別（ＳＴ１２のＹＥＳ）する。すると、第３の表示手段（１９）がその旨を表示（ＳＴ１４）する。つまり、警報ランプ１９が消灯される。この際、接続制御手段（１１，１２）は、当該親局３０に無線接続（ＳＴ１３）する。
【００４２】
しかして、この実施形態によれば、第１の記憶手段１３Ｍ１と，第２の記憶手段１３Ｍ２と，第１の判別手段（１１，１２）および第１の表示手段（１７）と，第２の判別手段（１１，１２）および第２の表示手段（１７）と，第３の判別手段（１１，１２）および第３の表示手段（１７）とを設け、子局１０において、親局３０との間の無線通信に係る検出信号レベルＬが無線通信不可能を判別するための第１の設定信号レベルＬ１未満である場合および無線通信を安定して行える第２の設定信号レベルＬ２以上である場合のみならず第２の設定信号レベルＬ２と第１の設定信号レベルＬ１との間の無線通信不安定領域にある場合においてもその旨を表示告知可能に構成されているので、取扱いが非常に簡単であるとともに、通常モードにおけるバーコードデータの無線送受信の正確性および円滑性を一段と向上できかつ切替モードにおける切替作業を迅速かつ円滑に行え作業能率を大幅に向上できる。
【００４３】
また、第１および第２の記憶手段がＲＡＭ１３（１３Ｍ１，１３Ｍ２）から形成されかつこれらに設定記憶する第１および第２の設定信号レベルＬ１，Ｌ２の値をキー操作により設定変更可能に形成されているので、適用性を大幅に拡大できる。
【００４４】
また、第１，第２および第３の表示手段が同一の警報ランプ１９から形成されかつ点灯表示，点滅表示および消灯表示の３段階表示切替えをするものと形成されているので、係員による目視が容易で一段と取扱いが簡単である。子局１０の小型化も可能である。
【００４５】
さらに、検出信号レベルＬが第２の設定信号レベルＬ２以上になった場合に無線接続する接続制御手段（１１，１２）と第１の設定信号レベルＬ１未満になった場合に切断する切断制御手段（１１，１２）とが設けられているので、通常モード運転中の見境の無い頻繁な切断を防止できかつ安定領域内であることを確認してから無線接続できるから煩雑で長時間を要する切替作業を削減できる。
【００４６】
さらにまた、通常モード運転中に不安定領域内に信号レベルＬが低下しあるいは切替モード運転中に不安定領域内にあることを、第２の表示手段（１８）で簡単かつ正確に知ることができるので、バーコードデータの正確かつ円滑送受信に必要な無線接続の維持および促進のための対処策を迅速にとり得る。
【００４７】
【発明の効果】
請求項１の発明によれば、第１の記憶手段と，第２の記憶手段と，第１の判別手段および第１の表示手段と，第２の判別手段および第２の表示手段と，第３の判別手段および第３の表示手段とを設け、子局において、親局との間の無線通信に係る検出された信号レベルが無線通信不可能を判別するための第１の設定信号レベル未満である場合および無線通信を安定して行える第２の設定信号レベル以上である場合のみならず第２の設定信号レベルと第１の設定信号レベルとの間の無線通信不安定領域にある場合においてもその旨を表示告知可能に構成されているので、次のような優れた効果を奏する。
【００４８】
▲１▼  親局との無線通信状態すなわち検出信号レベルが３段階で表示されるので、取扱いが極めて簡単である。
▲２▼  通常モード中に検出信号レベルが不安定領域内に低下したことを簡単に知ることができるから、安定した無線通信を維持する対処策を容易かつ迅速にとり得る。したがって、無線通信の見境の無い頻繁な切断を回避できるから、作業能率を大幅に向上できる。
▲３▼  切替モード中の無線接続可能状態乃至無線接続状態が不安定領域内にあることを簡単に知ることができるので、第２の設定信号レベル以上へ改善する対処策を容易かつ迅速にとり得る。したがって、煩雑で長時間を必要とする新たな親局への切替作業を大幅に削減できる。
▲４▼  通常モードにおける無線通信の切断用設定信号レベルおよび切替モードにおける無線接続用設定信号レベルの選択自由度を大幅に拡大できかつそれぞれをいかなるレベルに設定しても混乱を一掃可能であり得る。
【００４９】
また、請求項２の発明によれば、第１の表示手段が警報ランプを点灯表示するものとされかつ第２の表示手段が該警報ランプを点滅表示するものとされるとともに第３の表示手段が該警報ランプを消灯表示するものと形成されているので、請求項１の発明の場合と同じ効果を奏することができる他、さらに係員による目視が容易で一段と取扱いが簡単となるとともに、子局の小型化も可能となる。
【図面の簡単な説明】
【図１】本発明の実施形態を示す全体構成図である。
【図２】同じく、子局側の動作を説明するためのフローチャートである。
【図３】同じく、各表示動作を従来例との比較において説明するための図である。
【図４】従来例とその問題点を説明するための図である。
【符号の説明】
１０  子局
１１  ＣＰＵ（第１，第２および第３の判別手段）
１２  ＲＯＭ（第１，第２および第３の判別手段）
１３  ＲＡＭ
１３Ｍ１  第１の記憶手段
１３Ｍ２  第２の記憶手段
１５  バーコードスキャナ
１６  キーボード
１７  表示器
１９  警報ランプ（第１，第２および第３の表示手段）
２０  無線通信回路
３０  親局
３１  ＣＰＵ
３２  ＲＯＭ
３６  キーボード
３７  表示器
４０  無線通信回路
５０  ホスト
Ｌ１  第１の設定信号レベル
Ｌ２  第２の設定信号レベル
【図１】
0003789540.tif 000002
【図２】
0003789540.tif 000003
【図３】
0003789540.tif 000004
【図４】
0003789540.tif 000005